(57)【要約】【課題】軌条機械の走行装置の補修、取り替え、据え付け等を、レール周辺の地盤の損傷、レール基礎及びレールの損傷を防止して、低コストで行なうことのできる、軌条機械走行装置の移動方法を提供すること。【解決手段】軌条を走行させて使用する軌条機械の走行装置５をジャッキ１を用いて軌条２から移動する際に、ジャッキ１を軌条２の上に設置し、前記軌条機械をジャッキ１で持ち上げて、走行装置５を前記軌条機械から取り外すことを特徴とする軌条機械の走行装置の移動方法を用いる。ジャッキ１の台座として軌条２および軌条基礎３を使用することが好ましい。【選択図】図１
2009062001.tif 000002
【特許請求の範囲】
【請求項１】
軌条を走行させて使用する軌条機械の走行装置をジャッキを用いて軌条から移動する際に、前記ジャッキを前記軌条の上に設置し、前記軌条機械を前記ジャッキで持ち上げて、前記走行装置を前記軌条機械から取り外すことを特徴とする軌条機械の走行装置の移動方法。
【請求項２】
ジャッキの台座として軌条および軌条基礎を使用することを特徴とする請求項１に記載の軌条機械の走行装置の移動方法。
【発明の詳細な説明】
【技術分野】
【０００１】
本発明は、軌条を走行する軌条機械の走行装置の据え付け、補修、解体等のために軌条機械の走行装置を軌条から移動するための方法に関し、特に製鉄所において使用される軌条機械の走行装置をジャッキを用いて移動する方法に関するものである。
【背景技術】
【０００２】
製鉄所には、鉱石ヤードや石炭ヤードにおいて、鉱石や石炭、コークスのスタッキング作業やリクレーミング作業などを担当する、軌条を走行する軌条機械がある。また、コークス炉においては、コークス炉から製造されたコークスを押し出す、或いは押し出されたコークスの搬送作業などを担当する軌条機械がある。
【０００３】
これらの軌条機械の走行装置は、落下する鉱石、石炭、コークスに加えて、風雨、軌条が設置されている地面に貯まった雨水などに晒されながら使用されていることにより劣化が進み、また走行装置の故障などによるトラブルが発生する可能性がある。したがって、走行装置の取り替えなどの更新工事が不可欠であり、トラブルが発生した場合には、早急に走行装置の補修、取り替えが必要となる。
【０００４】
一般に、重量物の搬送・据付け作業においては、天井クレーン等が使用できない場合、コロ、車輪付き台車、ジャッキ、リフト等を用いた作業が行なわれる（例えば、特許文献１の従来技術参照。）。軌条機械の走行装置の解体、据え付け、補修などの更新工事では、軌条機械や軌条（レール）付近の地面などの、不安定で強度の弱い箇所に、重量物を持ち上げるためのジャッキ装置を直接設置したり、このジャッキ装置の台座を設置するために、新たにコンクリート基礎などを打設するという工法が用いられている。
【０００５】
また、並行して設置されているレール上、または軌条機械やレール周辺の地面に、重量物を持ち上げるジャッキ装置の台座のために、鉄板やコンクリート板などを敷くような工法が行なわれている。
【特許文献１】特開２００３−１４６５９１号公報
【発明の開示】
【発明が解決しようとする課題】
【０００６】
しかしながら、レール付近、もしくは軌条機械付近の地面を利用して重量物を持ち上げるジャッキ装置を設置する工法では、脆く、崩れやすい弱い地盤や地面では、軌条機械を安定して支持することが困難であり、レール基礎が傾くなどの影響がある。また、新たに地盤や地面を強固にする基礎工事を実施する場合は、この基礎工事のための費用が発生し、工期が長期化するなどの問題が発生する。また、レール上、もしくは軌条機械及びレール周辺に、重量物を持ち上げるジャッキ装置の台座として、鉄板やコンクリート板を敷く工法では、地盤の損傷、レール基礎及びレールが損傷するという問題がある。
【０００７】
したがって本発明の目的は、このような従来技術の課題を解決し、軌条機械の走行装置の補修、取り替え、据え付け等を、レール周辺の地盤の損傷、レール基礎及びレールの損傷を防止して、低コストで行なうことのできる、軌条機械走行装置の移動方法を提供することにある。
【課題を解決するための手段】
【０００８】
このような課題を解決するための本発明の特徴は以下の通りである。
（１）軌条を走行させて使用する軌条機械の走行装置をジャッキを用いて軌条から移動する際に、前記ジャッキを前記軌条の上に設置し、前記軌条機械を前記ジャッキで持ち上げて、前記走行装置を前記軌条機械から取り外すことを特徴とする軌条機械の走行装置の移動方法。
（２）ジャッキの台座として軌条および軌条基礎を使用することを特徴とする（１）に記載の軌条機械の走行装置の移動方法。
【発明の効果】
【０００９】
本発明によれば、レール及びレール基礎を、重量物を持ち上げるためにジャッキ装置の台座として使用するので、新たに地盤強化のための基礎工事を必要とせず、レール及びレール基礎の損傷なく、軌条機械の走行装置の更新工事を行なうことができる。また、レール及びレール基礎を重量物を持ち上げるためのジャッキ装置の台座として使用するため、地盤強化のためにかかる工費や工期が不要となり、工費の低減と工期の短縮の効果も得られる。また、工期が短縮されることで、軌条機械を用いた操業を停止する期間が短縮されて、操業効率も向上する。
【発明を実施するための最良の形態】
【００１０】
製鉄所等の大規模な設備を有する工場においては、スタッカー、リクレーマー、スタックリクレーマー、ベッドリクレーマー、ブレンディングリクレーマー、コークス押し出し機、コークスガイド車、コークス消火車等の軌条を走行する軌条機械が使用されている。以下に、これらの軌条機械の走行装置の、据え付けや、補修・解体等により更新を行う際の、ジャッキを用いた軌条機械走行装置の移動方法を説明する。
【００１１】
図１、図２は、本発明の一実施形態を示す概略図である。図１は、軌条２と、軌条２の上の軌条機械とその走行装置５の側面図であり、地盤４にはレール基礎３を設置し、その上にレール（軌条）２が敷設されている。６は軌条機械のフレームである。図２は、図１のＡ−Ａ断面における正面図である。
【００１２】
軌条機械の走行装置５の補修等を行なうために走行装置５を軌条２上から移動させるに際して、ジャッキ１の台座として、レール２およびレール基礎３を使用する。このようなレール上の位置にジャッキ１を設置することで、地盤４を強化する必要が無い。また、レール２およびレール基礎３が損傷することも無い。
【００１３】
レール上にジャッキを設置することは、レールの変形・破損の恐れがあると考えられて、従来は行なわれることが無かったが、ジャッキを設置しても、レールにかかる重量は軌条機械の稼動中と変わらないため、実際にはレールの変形・破損は、まず発生することは無い。ジャッキ自体の重量は、軌条機械が運搬する荷よりはるかに軽く、レールおよびレール基礎への影響は無い。
【００１４】
これに対して、従来工法を用いた場合は、ジャッキを敷設するための土台を新たに設置することで地盤にかかる重量が大幅に増加し、レール及びレール基礎、土壌などへの影響が懸念される。
【００１５】
次に、図３〜６を用いて、具体的な軌条機械走行装置の移動方法を説明する。図３〜６も図１と同様の、軌条の上の軌条機械とその走行装置の側面図である。
【００１６】
まず、手順１として、図３に示すように、ジャッキ１の台座として、レール２およびレール基礎３を使用し、軌条機械のフレーム６の下にジャッキ装置１を設置する。
【００１７】
手順２として、ジャッキ１により、軌条機械のフレーム６を持ち上げる。
【００１８】
手順３として、フレーム６がジャッキアップされた状態で、軌条機械の走行装置５をフレーム６から取り外す。
【００１９】
取り外した軌条機械の走行装置５を修理、または更新した後、手順４として、軌条機械の走行装置５をフレーム６に取り付けて、ジャッキ１を下げ、軌条機械の走行装置５を元のように軌条２上に据え付ける。
【００２０】
以上の手順１〜４により、軌条機械の走行装置を取り付けや、更新を、容易に行なうことができる。
【００２１】
従来技術を用いて軌条機械走行装置の移動を行なおうとする場合は、ジャッキ設置を、レールをまたいで通常２箇所設置する必要があるが、本発明では、レール上の１箇所で走行装置のフレームを支えることができるので、軌条機械走行装置の移動のための工程及び手間を減らすことができる。
【００２２】
図７に、軌条機械走行装置の取り外しを行なう他の実施形態を示す。図７において、レール２にジャッキ１を設置し、机上機械のフレーム６を持ち上げることで、軌条機械の走行装置５を２つとも取り外すことができる。
【図面の簡単な説明】
【００２３】
【図１】本発明の一実施形態を示す概略図（側面図）。
【図２】本発明の一実施形態を示す概略図（断面図）。
【図３】軌条機械走行装置の移動方法の説明図（手順１）。
【図４】軌条機械走行装置の移動方法の説明図（手順２）。
【図５】軌条機械走行装置の移動方法の説明図（手順３）。
【図６】軌条機械走行装置の移動方法の説明図（手順４）。
【図７】本発明の一実施形態を示す概略図（側面図）。
【符号の説明】
【００２４】
１    ジャッキ
２    軌条（レール）
３    レール基礎
４    地盤
５    走行装置
６    軌条機械のフレーム
【図１】
2009062001.tif 000003
【図２】
2009062001.tif 000004
【図３】
2009062001.tif 000005
【図４】
2009062001.tif 000006
【図５】
2009062001.tif 000007
【図６】
2009062001.tif 000008
【図７】
2009062001.tif 000009